Podtech/llm-jp-corpus-v4-ja_patent huggingface dataset:
(57)【要約】【課題】より容易にアメリカンドッグを食するための串体を提供する。【解決手段】その一端に孔を有する棒体による主串体を設け、一方、一端を先鋭にするとともに他端に、前記の孔に適度の嵌合にて挿入可能な挿入部を有する副串体を設け、以上の主串体と副串体との組み合わせからなることを特徴とする。【選択図】図４
2010148840.tif 000002
【特許請求の範囲】
【請求項１】
その一端に孔を有する棒体による主串体を設け、一方、一端を先鋭にするとともに他端に、前記の孔に適度の嵌合にて挿入可能な挿入部を有する副串体を設け、以上の主串体と副串体との組み合わせからなることを特徴とする食品用分割串。
【発明の詳細な説明】
【技術分野】
【０００１】  この発明は、アメリカンドッグ等の串を用いる食品を、最後まで容易に食するための串に関する。
【背景技術】
【０００２】  従来より、アメリカンドッグは串を用いて作られ、この串を手に持って食するものであるが、これに用いる串は単一体であり、本発明にて示すように、この串を分割可能に設けたものは見あたらない。
【発明の開示】
【発明が解決しようとする課題】
【０００３】  アメリカンドッグは、ソーセージに串を刺し、小麦粉などで作った衣をつけて油で揚げた食品である。食するときは、ケチャップやマスタードを衣につけることが多く、縁日や祭り、学園祭の模擬店、高速道路のサービスエリア、野外遊技場などの売店、コンビニエンスストアなどでよく販売されている。食するときは、串を手に持ち、ソーセージの先端側から食するのが普通である。この串の先端は先鋭であり、食していくとこの串の先端が露出してくる。この先端を含む串部分は食するにつれて次第にその露出部分が長くなり、食するのに不便な状態となるので、串を口元に平行にしてソーセージの周囲から食することとなり、食べづらくなるが、これを解決する有効な手段が見あたらないのが現状である。
本発明は、以上のような従来からのアメリカンドッグの食べ方に関わる課題を解決するために発明されたもので、串を分割可能に形成することにて、上記課題を解決することのできる、新規かつ有用なる手段を提供することを目的としたものである。
【課題を解決するための手段】
【０００４】  課題を解決する手段として本発明は以下の構成とした。
すなわち、その一端に孔を有する棒体による主串体を設け、一方、一端を先鋭にするとともに他端に、前記の孔に適度の嵌合にて挿入可能な挿入部を有する副串体を設け、以上の主串体と副串体とを組み合わせる。本発明は以上の構成よりなる食品用分割串である。
【発明の効果】
【０００５】  本発明によれば、アメリカンドッグを食している途中で副串体を除去することにて、最後まで容易に食することを可能とした、有用なる食品用の串を得ることができる。
また、本発明はアメリカンドッグ以外に、焼き鳥その他の串を用いる食品にも応用が可能である。
【発明を実施するための最良の形態】
【０００６】  以下、本発明の実施形態について説明する。
図において、１は主串体で、木製円柱体であり、その一端には小径円形孔による挿入孔２が穿設される。３は副串体で、主串体と同一素材にて形成され、先鋭部４と挿入部５を一体形成したものである。先鋭部は略円錐形部分であり、その先端は先鋭に形成され、他端は前記の主串体と同径である。挿入部は前記挿入孔２に適度の嵌合にて挿入可能な外径を有する円柱状部分で、該挿入孔長よりやや短く形成される。また、この挿入部端は略半球状に形成される。以上が、本発明の一実施形態である。
本発明の使用に際しては、まず主串体の挿入孔内に挿入部を挿入し、主串体端と副串体端を一致させる。この状態にて従来のアメリカンドッグ用串と同一形状となるので、所定の手順にてアメリカンドッグを作る。
食するときは、従来のように先端から食していき、先鋭部がある程度露出する状態に至れば、その露出した串部分を指でつまんで引き抜いて除去すると、主串体に残りのアメリカンドッグが付着している状態となり、食し始めと同様に楽に食することができる。【０００７】  図７〜図１１は、本発明の他例を示すものである。図７は先鋭部の一部に、複数個の環状溝を等間隔に設けたもので、副串体を指でつまんで引き抜くときに、より大きな摩擦にてこの引き抜きを容易にする効果がある。図８〜図１１も同様の効果を生み出すことを目的としたもので、図８は螺旋溝を、図９は微細凹凸を、図１０は線状溝を各々先鋭部の一部全面に設けたものである。図１１は線状溝と螺旋溝の双方を設けたものである。
引き抜きやすさからみれば、環状溝、螺旋溝、微細凹凸、線状溝の順に大きな摩擦が得られると想定されるが、一方、ソーセージに突き刺すときの抵抗感は逆順になると思われ、適宜に選択して用いることがよいと思われる。図１１では、線状溝と螺旋溝を組み合わせており、突き刺すときの抵抗感と引き抜くときの抵抗感のバランスを考慮したものである。
なお既述例では、挿入部端を半球状に形成したので、挿入孔に容易に挿入することができ、また、先鋭部先端には各溝等を形成してないため、ソーセージに突き刺すときの抵抗増加は緩和される。以上、本発明について記したが、本発明は串体を分割形成したところにその特徴を有し、アメリカンドッグを最後まで楽に食することのできるものである。
既述のように従来手段では食している途中から、串先露出部分が長くなるために、食することが難しくなっていたが、本発明はこれを解決するものである。なお、記述例では木製略円柱状物品としたが、他に角柱状に形成してもよい。本発明は記述例に限定されるものではない。以上のごとく、本発明によってより容易にアメリカンドッグを食することができ、焼き鳥その他の串を用いる食品にも応用可能である、有用なる物品を得ることができる。
【図面の簡単な説明】
【０００８】
【図１】  本発明使用時のアメリカンドッグ正面図
【図２】  本発明使用時のアメリカンドッグ内部説明図
【図３】  本発明の組み合わせ状態説明図
【図４】  本発明の使用説明図
【図５】  本発明の主串体正面図
【図６】  本発明の副串体正面図
【図７】  本発明の副串体の他例説明図
【図８】  本発明の副串体の他例説明図
【図９】  本発明の副串体の他例説明図
【図１０】  本発明の副串体の他例説明図
【図１１】  本発明の副串体の他例説明図
【符号の説明】
【０００９】  １  主串体
２  挿入孔
３  副串体
４  先鋭部
５  挿入部
６  環状溝
７  螺旋溝
８  微細凹凸
９  線状溝
【図１】
2010148840.tif 000003
【図２】
2010148840.tif 000004
【図３】
2010148840.tif 000005
【図４】
2010148840.tif 000006
【図５】
2010148840.tif 000007
【図６】
2010148840.tif 000008
【図７】
2010148840.tif 000009
【図８】
2010148840.tif 000010
【図９】
2010148840.tif 000011
【図１０】
2010148840.tif 000012
【図１１】
2010148840.tif 000013
(57)【要約】【課題】揚げ物調理は、かす揚げから揚げ物をすくい、油を切るために油切り用のバット等を用意する必要があった。  本発明は、油切り用のバット等がいらない、油こし紙を挟めるかす揚げを提供する。【解決手段】かす揚げの網部分の枠の先端から中央部にかけて、Ｕ字形針金を付け、網の面とＵ字形針金の間に油こし紙を挟めるようにする。【選択図】図１
2010148836.tif 000002
【特許請求の範囲】
【請求項１】
網の先端から中央部にＵ字形の針金を付け、油こし紙を挟めるようにしたかす揚げ具。
【発明の詳細な説明】
【技術分野】
【０００１】  本発明は、揚げ物の調理具のかす揚げに関するものである。
【背景技術】
【０００２】  従来、天ぷらやフライの揚げ物調理は、油で揚げた後、油を切るために油切り用のバットや容器などを用意していた。
なお、油こしのために、かす揚げに被せる袋状フィルターが知られている。（特許文献１参照）（特許文献２）（特許文献３）
また、フィルターを挟むために網の枠に沿った留め金を付けたかす揚げが知られている。（特許文献４）
また、使い捨てのかす揚げが知られている。（特許文献５）
【特許文献１】登録実用新案第３０５４１７８号
【特許文献２】実用新案公開平０７−００３５４５号
【特許文献３】特許公開２０００−０５１１０５号
【特許文献４】特許公開平０９−０８４７０５号
【特許文献５】特許公開平１０−３２８０４９号
【発明の開示】
【発明が解決しようとする課題】
【０００３】  油を使う揚げ物は、皿に乗せる前に油を切らなければならないが、そのために、油切り用のバットや容器の用意が必要だった。
本発明は、以上の問題点を解決するためになされたものである。
【課題を解決するための手段】
【０００４】  かす揚げの網部の枠の先端から中央部に向かいＵ字形にした針金を、網の面の間に油こし紙を挟めるように、網部の枠に付ける。
以上の構成よりなるかす揚げ。
【発明の効果】
【０００５】  揚げ物の調理には油切り用のバットや容器が必要だったが、油の入った鍋などから揚げ物をすくう際、本発明に油こし紙を挟んですくえば油が切れ、油切り用のバットや容器の用意をせずともよくなる。
【発明を実施するための最良の形態】
【０００６】  以下、本発明の実施の形態を説明する。
（イ）かす揚げ本体（１）の持ち手の反対側の網の枠の先端に、Ｕ字形針金（２）を取り付ける。
（ロ）Ｕ字形針金（２）のＵ字部は、網の中ほどとする。
（ハ）かす揚げ本体（１）の網の面とＵ字形針金（２）の間に油こし紙（３）を差し入れる。
本発明は以上のような構造である。
本発明を揚げ物調理に使用するときは、かす揚げ本体（１）の網の面とＵ字形針金（２）の間に油こし紙（３）を差し入れて、揚げ物をすくえば油が切れて、油切り用のバット等を用意する必要がなくなる。
【図面の簡単な説明】
【０００７】
【図１】本発明の斜視図
【図２】本発明の使用状態を示す斜視図
【符号の説明】
【０００８】  （１）かす揚げ本体
（２）Ｕ字形針金
（３）油こし紙
【図１】
2010148836.tif 000003
【図２】
2010148836.tif 000004
(57)【要約】【課題】  地下鉄の走行時に発生する風圧は地下鉄の走行に対して空気抵抗と考え不要の物と考えられている。【解決手段】  ＣＯ２を発生させないエネルギーを得る為に地下鉄などの発生させている風圧を利用する小型の風力発電で電気を蓄電する電源装置。【選択図】図１
2010156300.tif 000002
【特許請求の範囲】
【請求項１】
地下鉄車両の走行時にトンネル内で発生する風圧を利用した小電力風力発電機を具備した電源装置。
【発明の詳細な説明】
【技術分野】
【０００１】  本発明は、利用空間が狭い地下トンネル内に小型の風力発電機を多数設置してＣＯ２の発生がないクリーンな電力を利用する電源装置である。
【背景技術】
【０００２】  従来、風力発電装置は大きな電力を得る事に重きが置かれ、狭い空間が多い地下鉄トンネル内の地下鉄車両走行時に発生する風圧では風力発電は無理だと思われていますが、小型の風力発電機を多数設置する事で、今までは利用する事のない風圧を利用し電気エネルギーに変換して利用することで、現在問題になっている地球温暖化防止に役立てる事が出来る。
【発明の開示】
【発明が解決しようとする課題】
【０００３】  今まで、地下トンネルを利用している地下鉄等において、走行時においてある時は、地下鉄の出入り口からホームに強い風圧が押し寄せたり、また、ホームから出入り口に風圧が押し寄せます、この為に、ホームにいる人や乗り降りする為に改札付近にいる人にも強い風が来て、無意味に服装の乱れや、強い風の動きで歩行にも影響している。
【課題を解決するための手段】
【０００４】  ホーム上で起きていた風の乱れを少なくし発電効率を良くするために、現在多くのホームに設置されている転落防止用フェンスの上部も天井の部分まで塞ぐとホームの空気の乱れを少なくする事が出来、発電システムにとっても、風圧をより有効に利用できる。【０００５】  発電する場所はトンネル内においてはどこでも可能であるが利用できる幅には制限されるために小型の発電モータを多数使用して発電効率をよくする、また、吸入口を大きくして風を集め、小さな吹き出し口から空気を押し出し風圧を大きくして発電モータを回転させるための風洞を、ホーム付近においてはホームの下部や、天井に設置してホームの風の動きを出来るだけ少なくし、また、発電量を大きくする。
【発明の効果】
【０００６】  今までは、ただ単に無意味な有り難くない動きと考えていた風の動きを利用する事で、ＣＯ２の発生しないエネルギーを生み出す事が出来る。
【発明を実施するための最良の方法】
【０００７】  風洞を利用して効率よく、トンネル内の空気を集め、発電モータを動かして発電を行い、また、発電した電気をバッテリー等に蓄電する事で風圧がない時でも電力を使用できる様にするシステムを構築する。
【０００８】  大きな空間があるホームは風圧が大きく減少してしまうために此を防ぐために、出来るだけ全面にちかい、事故防止をかねた防風フェンスを設置する。
【図面の簡単な説明】
【０００９】
【図１】  本発明の俯瞰図
【符号の説明】
【００１０】  １  風洞部
２  バッテリ及び発電機収納部
３  空気取り口
４  シロッコファン
【図１】
2010156300.tif 000003
(57)【要約】【課題】  従来の日本家屋の玄関は土間から３０ｃｍ〜５０ｃｍ程度の段差があり、床に上ってから、ふり向いて膝をついて逆さまに成りそうな姿勢で履物を手に取って下駄箱に入れていたがお年寄りには無理な姿勢である。【解決手段】  手摺りを手前に引き、框の下から出て来た床はほとんどの段差も無く、ターンテーブルに両足を乗せて、履物をぬいで框に上がり、手摺りをもどすと框の下へ履物が納まり玄関はいつも整然とし再び出かける時は履物の爪先が外を向いて出てくるので特にお年寄りに喜ばれると思います。【選択図】図１
2010156173.tif 000002
【特許請求の範囲】
【請求項１】
老人用杖の高さに手摺りを設け、その手摺りが框の下から出てくる床と連動していて、その床に乗って履物を脱ぎ框の上に上ってから手摺りを引くと履物が框の下へ納まり再び外出する時は手摺りを押すと履物は１８０度回転し、爪先を外にして出てくるので年寄りが杖をついた状態、つまり立ったまま履物を履いたり脱いだりできる  下駄箱付き上り框。
【発明の詳細な説明】
【技術分野】
【０００１】    本発明は、一般個建て住宅の玄関上り框と、下駄箱に関する物。【０００２】    従来の個建て住宅の玄関は戸（ドア）を開けて中へ入ると、土間の正面に上り框に続く床があり側面に下駄箱が設置してあるのが、日本家屋の一般的な造りと成っている。【０００３】    履物を脱いで床に上り、ふり向いて腰をおろし、膝を就いて履物を取り、下駄箱に納める。この行為が、お年寄りにとっては大変である。
【発明の開示】
【発明が解決しようとする課題】
【０００４】    従来の玄関の構造で足腰の弱ったお年寄りが困るだけで無く、若い人でも履物を脱ぎっ放して、玄関が雑然となる事を防ぐと同時に再び外出する時には履物が１８０度回転して出てくる構造である。
【課題を解決するための手段】
【０００５】    本発明は上記目的を達成するため、老人用杖の高さに手摺りを設け、その手摺りが框の下から出てくる床と連動していて、その床に乗って履物を脱ぎ框の上に上ってから手摺りを引くと履物が框の下へ納まり再び外出する時は手摺りを押すと履物は１８０度回転し、爪先を外にして出てくるので年寄りが杖をついた状態、つまり立ったまま履物を履いたり脱いだりできる。
【発明の効果】
【０００６】    上述したように、本発明はお年寄りが履物を脱いで玄関に上ったり、履いて外出する際立ったままの状態でできると同時に玄関がいつも整然としておける。
【発明を実施するための形態】
【０００７】    以下、本発明の形態を図１〜図４に基づいて説明する。
【０００８】    図１の１は、框材で２の下駄箱の上に乗せて下から木ネジで取り付けられていて、３の手摺りと４の引出し床が６のレールで連動する。５はターンテーブルで９の鉄板歯車は収納時には回らず引出し時に１８０度回転する仕組。
【０００９】    １０は、２の下駄箱に固定された９の歯車を動かすための魚の鱗状の平歯金で、収納時は鱗をなでる方向に引出す時に鱗がひっかかる方向に取り付けてあるので１８０度回転する。
【図面の簡単な説明】
【００１０】
【図１】本発明の下駄箱付き玄関上り框  全体の姿図
【図２】下駄箱の収納時の断面図
【図３】下駄箱の引出し時の断面図
【図４】ターンテーブル連動の歯車と鱗状歯板の平面図
【符号の説明】
【００１１】      １．  玄関上り框
２．  下駄箱本体
３．  床引出し用手摺り
４．  引出し床
５．  ターンテーブル
６．  引出し用ベアリング付レール
７．  回転用ベアリング
８．  ノンステップ
９．  歯車
１０．鱗状歯板
【図１】
2010156173.tif 000003
【図２】
2010156173.tif 000004
【図３】
2010156173.tif 000005
【図４】
2010156173.tif 000006
(57)【要約】【課題】  本発明は建物が、地震や地下水などの影響及び、建物の自重で沈下及び傾斜した場合、モルタルセメントなどの流動体を傾斜側のベタ基礎の底部に注入し、その圧力で基礎を持ち上げ傾斜を修復出来る様、予め注入用穴を提供する。【解決手段】  建物のベタ基礎（１）に予め計画的に複数の穴（２）を付設する事で流動体（３）の注入経路を確保し、後日建物が沈下や傾斜した場合、その穴（２）よりモルタルセメントなどの流動体（３）を圧力注入し、その圧力により沈下した分ベタ基礎（１）を持ち上げ、建物の沈下や傾斜を容易に修復出来る様に穴（２）を設けて置く。【選択図】図１
2010156186.tif 000002
【特許請求の範囲】
【請求項１】
建物のベタ基礎（１）の上部より、モルタルや生コンクリートの様な流動体（３）を、図３の様にポンプ（４）及びホース（６）などによりベタ基礎（１）の底部に圧力注入する為、予めベタ基礎（１）に設けて置く穴（２）
【請求項２】
建物のベタ基礎（１）工事時、請求項１の圧力注入用穴（２）を造る為の生コンクリート打ち込み時、ボルト状の型枠などによりホース（６）接続用に穴（２）を雌ネジ状にする。
【発明の詳細な説明】
【技術分野】
【０００１】  本発明は、不同沈下などで傾斜した建物を、水平に修復する装置に関する。
【背景技術】
【０００２】  従来、地下水位の変化や軟弱地盤上の建物など、地震の揺れや時の経過で建物が傾いてしまう事が有る。
【発明の開示】
【発明が解決しようとする課題】
【０００３】  地盤沈下や地震などで傾斜した建物を修復するのは多額の費用と工事時間を必要としたものを、本発明は前もってベタ基礎に流動体注入用穴を開けて置く事により、建物の傾斜を容易に修複出来るようにするものである。
【課題を解決するための手段】
【０００４】  この課題を解決するため、予め建物のベタ基礎（１）に計画的に複数の穴（２）を設置し、流動体（３）の注入経路を確保及び圧力分比効率を考慮し中間根入れ（５）及び、ホース（６）の接続を容易にする為、注入用穴（２）をホース接続を容易にする為雌ネジ状に造って置くなどの対策をとり、後日地震などで建物が傾斜した場合、その穴（２）よりポンプ（４）及びホース（６）よりモルタルセメントなどの流動体（３）を、ベタ基礎（１）底部に圧力注入出来る様にして置く。
【発明の効果】
【０００５】  本発明は以上の様な構造で、図３の様に傾斜した建物のベタ基礎（１）の傾斜側の穴（２）にモルタルセメントなどの流動体（３）を圧力ポンプ（４）により注入し、その圧力により傾斜側のベタ基礎（１）底部を持ち上げ建物を水平に戻し、モルタルセメントなどの流動体（３）がそのまま凝固され安定する。
【発明を実施するための最良の形態】
【０００６】  以下、本発明を実施する為の最良の形態について説明する。
建物などの建築時、予めベタ基礎（１）の底部にモルタルセメントなどの流動体（３）を圧力注入する事が出来る為の穴（２）を付設して置き、図２の様に地震などで建物が傾斜した場合、その穴（２）を使い傾斜側にモルタルセメントなどの流動体（３）を圧力ポンプ（４）とホース（６）によりベタ基礎（１）の底部に注入し、その注入圧力により図３の様に傾斜側を持ち上げ建物を水平に戻し、モルタルセメントなどの流動体（３）がそのまま凝固され安定する。
【図面の簡単な説明】
【０００７】
【図１】  建物のベタ基礎（１）底部に、流動体（３）を圧力注入出来る穴（２）を付設した断面図である。
【図２】  建物のベタ基礎（１）が不同沈下により傾斜した断面図である。
【図３】  建物の傾斜した側のベタ基礎（１）の下部に、モルタルや生コンクリートなどの流動体（３）を圧力注入により傾斜側が持ち上がり、建物が水平に戻った断面図である。
【符号の説明】
【０００８】１  建物のベタ基礎
２  流動体注入用穴
３  モルタルや生コンクリートなどの流動体
４  圧力注入ポンプ
５  中間根入れ
６  ホース
【図１】
2010156186.tif 000003
【図２】
2010156186.tif 000004
【図３】
2010156186.tif 000005
(57)【要約】【課題】建設現場で木製型枠を組立る場合今まで内側に人が入ってセパの端を出すか、外側から苦労して探していた作業を、早く探せる事を提供出来る。【解決手段】本発明は今まで、内側から、手で差し込むか、又は経験と勘によって、外側から、無理矢理探し当てていた作業を、外側から，考案器具▲５▼でセパの端部を，押さえる事によって，外側から、簡単に探し出せる、発明道具である。【選択図】図１
2010156185.tif 000002
【特許請求の範囲】
【請求項１】
建設現場で木製型枠を組立る場合
本発明は外側から、セパ位置を簡単に探し出せる。
【請求項２】
本発明は、別紙図面の様に、セパの端部分を、外側から、押さえる。
【発明の詳細な説明】
【技術分野】
【０００１】建設現場で木製型枠を組立る場合
本発明は今まで、内側から、手で差し込むか、又は経験と勘によって、外側から、無理矢理探し当てていた作業を、外側から、簡単に探し出せる、発明道具である。
【背景技術】
【０００２】従来は、外側からセパ位置を、正確に見つけ出せなかった。
【発明文献１】
【０００３】現時点では、無し
【発明が解決しようとする課題】
【０００４】今まで内側に人が入ってセパの端を出すか、外側から何回も、かけて探していた作業を、１回で終了させられる。
【課題を解決するための手段】
【０００５】  建設現場で木製型枠を組立る場合
１――  ▲１▼面の組立をしてセパまで通し鋼管等で固める。
２――  ▲２▼面の組立をし鋼管等で固める。
２の工程の時に手が届かない場合セパを探すのが苦労する。
そこでＢ図での、▲５▼器具を▲２▼面側から▲４▼セパの端を抑えて、▲２▼面側を移動すれば、簡単に▲４▼セパの端が型枠の外に出る。
【発明の効果】
【０００６】建設現場での、木製型枠組立時間が短縮される。
【実施例１】
【０００７】
【図面の簡単な説明】
【０００８】
【図１】本発明の詳細図である。
【図２】本発明の使用状態を示す断面図である。
【符号の説明】
【０００９】▲１▼▲２▼木製型枠  ▲３▼ホームタイ  ▲４▼セパ  ▲５▼考案器具
【図１】
2010156185.tif 000003
【図２】
2010156185.tif 000004
(57)【要約】【課題】  動力を２台以上使うとき、シャフトに電子的に制御できる様に設けた電子ギアブロックを提供する。【解決手段】  シャフト（軸）に先端にギアを取り付け、それを左右のギア（３）で挟み、その端の伸びた軸（６）に、バイオメタル（人工筋肉）（９）を通す。そして、そのシャフトと動力のシャフト（１１、１２）を磁石で繋ぎ、動力の回転を妨げずに正転・逆転・停止・ロックが可能なものを、特徴とする。【選択図】図４
2010156432.tif 000002
【特許請求の範囲】
【請求項１】
モーター又はエンジン等の回転するシャフト（軸）に、このギアボックスで回転制御を行うようにしたもの。
【発明の詳細な説明】
【技術分野】
【０００１】  この発明は、ギアにバイオメタル（人工筋肉）を取り付け、電子的な制御を持たせた電子ギアブロックである。
【背景技術】
【０００２】  従来は、回転動力（モーター・エンジン等）の力の増幅のみで制御にはモーターを使った物でした。
【発明の開示】
【発明が解決しようとする課題】
【０００３】  これは、次のような欠点があった。
動作を行う箇所に、モーターとそれを制御するための電子部品が多く使われ動作を行う箇所が多くなれば、それらの数が多くなり、その為たくさんの電力が必要でした。
本発明は、以上のような欠点をなくすためになされたものである。
【課題を解決するための手段】
【０００４】  シャフト（軸）に先端にギアを取り付け、それを左右のギア（３）で挟みその端の伸びた軸（６）に、バイオメタル（人工筋肉）（９）を通す。
そして、そのシャフトと動力のシャフトを磁石（１１，１２）で繋ぐ。
本発明は、以上の構成によりなる電子ギアブロックである。
【発明の効果】
【０００５】  電子ギアブロックを使うことにより、回転動力１台で、速度以外の制御を少ない電力で行うことができる。
【発明を実施するための最良の形態】
【０００６】  金属製の中空シャフト（軸）（１）に磁石（１１）を通して、その先端に平ギア（２）を取り付け、それを左右の異なる回転をするギアの組み合わせ（図１、図２）をクラウンギア（３）に正方角形の穴に彫った軸（４）と押しバネ（５）と先を丸めた軸（６）を取り付けた物を正方角形の軸（７）に通して、それらの端の伸びた軸（６）に引っ張りバネ（８）で挟むように固定し、バイオメタル（人工筋肉）（９）を通してその端を、電線（１０）と繋ぐ。そして、そのシャフト（１）を動力のシャフトに磁石（１２）を取り付けた物で繋ぐ。
本発明は、以上の構成によりなる電子ギアブロックである。
【図面の簡単な説明】
【０００７】
【図１】  平面図
【図２】  左側面図
【図３】  右側面図
【図４】  正面図
【符号の説明】
【０００８】１  金属製の中空シャフト（軸）
２  平ギア
３  クラウンギア
４  正方角形の穴に彫った軸
５  押しバネ
６  先を丸めた軸
７  正方角形の軸
８  引っ張りバネ
９  バイオメタル（人工筋肉）
１０  電線
１１  磁石１
１２  磁石２
【図１】
2010156432.tif 000003
【図２】
2010156432.tif 000004
【図３】
2010156432.tif 000005
【図４】
2010156432.tif 000006
【手続補正書】
【提出日】平成21年4月26日(2009.4.26)
【手続補正１】
【補正対象書類名】特許請求の範囲
【補正対象項目名】請求項１
【補正方法】変更
【補正の内容】
【請求項１】
モーター又はエンジン等の回転するシャフト（軸）に、このギアボックスで回転方向制御を行うようにしたもの。
【手続補正２】
【補正対象書類名】図面
【補正対象項目名】図４
【補正方法】変更
【補正の内容】
【図４】
2010156432.tif 000007
(57)【要約】【課題】  結婚式に利用されるブーケ等は会場の照明が暗くなると目立たなくなり、照明の光りを当てるとブーケの生花の鮮度が落ちる問題があった。  本発明はブーケ等の発光する装飾花を提供する。【解決手段】  金属細線からなる支柱の上端にソッケットを介してＬＥＤ電球を設け、ＬＥＤ電球は透明又は半透明のセロファン紙に被覆されて発光体を構成し、発光体がブーケ等の装飾花の生花の束等に適宜、挿入されたことを特徴とする発光する装飾花。【選択図】図１
2010156088.tif 000002
【特許請求の範囲】
【請求項１】
金属細線からなる支柱の上端にソケットを介してＬＥＤ電球を設けＬＥＤ電球は透明又は半透明のセロファン紙に被覆されて発光体を構成し、発光体がブーケ等の装飾花の生花等の束に適宜、挿入されたことを特徴とする発光する装飾花。
【発明の詳細な説明】
【技術分野】
【０００１】  本発明は生花等の装飾花を使用時に光を放ち暗所でも目立たせることを目的とする。
発光する装飾花に関するものである。
【背景技術】
【０００２】  従来、結婚式披露宴のブーケや装飾花は生花の束やプリザーブドフラワーが利用され装飾用に供されている。
【発明の開示】
【発明が解決しようとする課題】
【０００３】  従来より、次のような問題点があった。
（イ）結婚式場の照明が暗くなる場合ブーケや装飾花が目立たなくなる。
（ロ）生花やプリザーブドフラワーの装飾花に照明を当てたり、構造中に照明燈を組みんだりすると生花等は熱や水分に弱く枯れてしまう。
本発明は以上の問題点を解決しようとするものである。
【課題を解決するための手段】
【０００４】  金属細線からなる支柱の上端にソケットを介してＬＥＤ電球を設け、ＬＥＤ電球は赤や黄色の透明又は半透明のセロファン紙に被覆されて発光体を構成し、発光体がブーケ等の装飾花の束に適宜、挿入される。
以上の構成よりなる発光する装飾花。
【発明の効果】
【０００５】  本発明は装飾花を使用中、暗所や目立たない場合、自らを発光させる。
従って別の美しさを備えた装飾花となる。
また、色と明度を変化させることが可能なため、装飾花の色やデザインに合わせられることができる。ＬＥＤ電球を使用することで発熱による花材や資材の劣化を防ぐことができ、防水済みのため生花の水分にも影響はない。下部に金属細線が採用されているため発光体の形状を変化させて大半のデザインに使用対応が可能といえる。
【発明を実施するための最良の形態】
【０００６】  以下、本発明の実施の形態を説明する。
（イ）金属の細線からなる軸状の支柱（４）の上端にソッケト（３）を設け、ソケット（３）の上端にＬＥＤ電球（１）を導電して設ける。
（ロ）ソケット（３）の上縁よりＬＥＤ電球（１）の上部を覆うように透明又半透明のセロファン紙からなるカバー（２）で被覆する。なお、カバー（２）は、赤や黄色等、各色のセロファン紙を使用する。
（ハ）ソケット（３）の下端に支柱（４）を設ける。
（ニ）ソケット（３）に導電された電気コード（５）の他端はスイッチ（６）に接続する。
本発明の発光体Ａは以上からなる。上部に花弁（７）を有する茎（８）からなる花Ｂの束の間に発光体Ａを適宜、挿入する。又は、花弁（７）の中心部に図２の（ロ）に示すように発光体Ａを組み込むことが出来る。この場合、花弁（７）の中心部を縦に裂いて開き発光体Ａを挿し込む。
本発明は、以上の構成よりなっている。
本発明を使用するときは、目立たせるときに使用する。生花等は本来美しい物であるが、暗所においてはその美観を発揮できない。そこで、自らが発光することにより陰影が現れ美しく生まれ変わり存在感を増し目立つ効果が得られる。
【図面の簡単な説明】
【０００７】
【図１】  本発明の側面構成図
【図２】  本発明の要部拡大側面図
【図３】  本発明の使用状態を示す斜視図
【図４】  本発明の使用状態を示す平面図
【符号の説明】
【０００８】（１）ＬＥＤ電球、（２）カバー、（３）ソケット、（４）支柱、（５）コード、（６）スイッチ、（７）花弁、（８）茎、（Ａ）発光体、（Ｂ）花体
【図１】
2010156088.tif 000003
【図２】
2010156088.tif 000004
【図３】
2010156088.tif 000005
【図４】
2010156088.tif 000006
(57)【要約】【課題】安価で実用的な太陽光集光装置、太陽光発電装置を提供する。【解決手段】大地を放物面に造成、そこに反射材を設け集光する。冷却側に地下水を使う。【選択図】図２
2010156897.tif 000002
【特許請求の範囲】
【請求項１】
大地をパラボナ面状、あるいは焦点が直線状になる、縦に切断した円柱に似た横長の放物面を持つように造成、成形し、その面を反射材に施工またはその面に反射材を設置することにより、太陽光を集め、それをエネルギー源として利用することを特徴とする装置。
【請求項２】
前記方法により集約した光の部分に、蒸発管等を設け、その熱エネルギーと汲み上げた地下水により温度差を得、それにより発電する太陽光発電装置。
【請求項３】
地下水温より寒い季節は、日中は反射シートのような反射材で覆い、夜間はそれを取り除くと言う方法により、外気温および放射冷却により低温化させたプール池の水を冷却側に使うことを特徴とする前記発電装置。
【発明の詳細な説明】
【技術分野】
【０００１】  本発明は太陽光発電装置に関する。
【背景技術】
【０００２】  多数の鏡を使い太陽光を集めて発電する装置などはすでに造られている。
２０度程度温度差の海洋温度差発電なども試みられている。
【発明の開示】
【発明が解決しようとする課題】
【０００３】  エネルギー密度の低い太陽光利用の場合、実用化しようとする際の最大のネックはその経済性である。アルミ箔のような安価なシートでも集光は出来るのだが、どのようにそのシートを安価に必要形状に維持し、しかも強風などの風雪に耐え、長年の使用にも耐えうるようにするかということになると、きわめて難しいものとなる。
また深層水と表層水の温度差発電も試みられているが、温度差が２０度程度なので、なかなか実用化されにくかった。本発明はこれらの問題を解決するためのものである。
【課題を解決するための手段】
【０００４】大地そのものを放物面状にしてしまい、その面を反射物で被うという方法である。この形状成形はブルなどの機械力を使うと、きわめて容易に出来る。通常のブルで大まかに土の移動をした後は、放物線状の切り口を持つ板状の刃を持つブルなどを使えばかなりの精度のあるところまで、整形が可能。表面加工においても、例えばアスファルト散布なども機械化でき、最後はアルミ箔シートのような反射材を貼り付けるだけというところまで容易に持っていける。形式にはパラボナのように光を１点に集めるものと、横長にして、直線状に集めるものの２つのタイプがある。
このようにして集められた光と熱を使うと、１００度程度の蒸気は容易に得られ、それと地下水との温度差は８０度程度になり、これによって、エアコンを逆作用させた形の温度差発電機を回すわけである。また冬季においては、地下水をそのまま使わず、夜間の大気と放射冷却を利用、より低温化させた水にして使えば、さらに効果が上がる。
【発明の効果】
【０００５】大面積の集光部分が容易に実現可能。メインの反射材保持部分は大地そのものなので、材料費ゼロ。風などにもびくともせず、耐久性抜群。休耕地や荒地などですぐにでも実現可能。冬場の地下水は平均外気温より高いので、このまま使用するより、外気、夜間の放射冷却等により、低温化させたものを使うと、より温度差が得られ、発電効率も良くなる。
【発明を実施するための最良の形態】
【０００６】  直線状の焦点を持ち。東西に長くのびた装置の１例を挙げる。第１図に示すものは、横断面図である。この場合幅約１０ｍ、長さ５０ｍ、中央部のへこみは本来の地平面より約１ｍ低く、脇の山は１ｍ程高く、真ん中の土を両脇に移動させておおよその形が出来、それを固め放物線の切り口を持つ板で精密に成形、さらにローラーなどで固くして反射シートを保持する土台とした。焦点がくる高さは約３ｍである。土の表面を壁ぬりしたり、アスファルトを吹き付けたり、薄いコンクリートで固めたりしてもよいが、休耕地などでは、後々の使用を考えて、撤去しやすく、害のないものが望まれる。屋根などに下地に使われる、アスファルトシートをまず敷き、その上に反射シートを敷き、ステイプルで大地に留めてしまうというような方法も推奨される。中央部は雨水溜め、雨水浸透用の溝５であるが、ここは鉄製あみふたが付いて管理用通路にもなる。大量降水時の雨水はポンプで排水する。３の蒸発管は黒色、内壁が毛管現象により水がしみ広がるようにしたものでいわゆるヒートパイプと同じものである。この中には、水供給用の細いパイプが通り、各所に設けた穴により、できるだけ均等に水が供給される。この理論的に必要な太さは、太陽の視角が０．５度程度なので、反射鏡の焦点距離をｆとした場合約０．００８７ｆとして計算される。焦点距離の約１００分１程度であるがこれは鏡の精度を上げるコストとの問題で上述した例では１０〜２０ｃｍの市販のスパイラル管を使用する。図２は斜視図。太陽の高度により焦点に位置は水平方向にかわるため、蒸発管は転がるようにして支柱４に支えられた梁の上を移動する。図の場合は南北方向の移動で、装置は東西に長く造られている。この装置を南北に長く造ると管の移動は最低横幅全部に必要になり、支柱や梁の量もそれなりに多くなる。移動は単に管を一巻きし、上部から左右に延びたロープ状のものをどちらかに引くことによって容易になされる。このロープは４つの滑車を使って循環し、その一部に動力をつける。全長が長いため、これは数箇所で行う。この移動はパソコン等で制御するのがよい。設置場所の緯度、装置の向き、季節、時間によって変わるためである。
日射量計、蒸発管への送水量、冷却水の温度、その送水量、すべてこのパソコン１台で最適値にコントロールする。
蒸気圧をかけることを目的としないので、末端の回転部分、つなぎ目などにわずかな隙間があっても重大欠陥にはならない。農家が管理しやすいように、高圧、フロンなどの直接加熱は避け、ありふれた水の蒸気で大きな部分は集熱し、その後、熱交換をするとよい。
雹などによる反射面の痛みが大きい地方では、両脇に巻き取って収納しておいた暴風ネットを、反射面に触れないよう展開させて保護すると言う方法をとることも容易である。
請求項３の冷却池は自明なので図では省略。これはこの施設と並列して作るとよい。冬場は雨水溜めの水をそのまま利用することも出来る。
なお円形の反射面の作り方は、放物線状の切り口を持つ板を中心部から何度も回転させていけばすり鉢状の地形が出来る。
反射面の精度を上げ、しかも大型にしたものは、いわばプロ仕様というようなもので、高圧蒸気で直接タービンを回す。この場合ヒートパイプ構造は必要なく、管も梁にあたる部分を除いて、透明ガラス管などで囲み２重構造にする。
反射方物面は北側の土手を高くして傾斜させ、太陽光をより受けやすくすることも出来るが造りづらくなる。
【図面の簡単な説明】
【０００７】
【図１】  横断面図
【図２】  斜視図
【符号の説明】
【０００８】  １  大地
２  放物反射面
３  焦点にある蒸発管
４  支柱
５  網蓋付のみぞで管理通路
６  温度差発電機
７  地下水出入り口
【図１】
2010156897.tif 000003
【図２】
2010156897.tif 000004
(57)【要約】【目的】  従来から使用されている携帯電話のナビゲーション本体のモニター部分は、ナビゲーションシステムを利用した地図のみの映像表示がなされており、高額商品の割には多機能化が生かされてなく、該機器の多機能化を図ることによって該機器を安く販売できるようにしたものである。【構成】  従来の携帯電話のナビゲーションは地図のみを映像表示するが、それとは別の方法で地図を表示するのと同時に広告を表示するもので、インターネット広告管理センターより広告情報を配信させ該モニターに広告を記憶させて、必要に応じて該モニターに表示させ宣伝をし、その広告料の一部を携帯電話所有者に還元して、商品を低額にして容易に高額な携帯電話機が購入できるようにしたものである。【選択図】図１
2010156667.tif 000002
【特許請求の範囲】
【請求項１】
現在使用されている携帯電話ナビゲーション機器は、ＧＰＳ利用による地図の映像表示機器であるが、それとは別に無線インターネット広告管理センターより広告情報を配信して、該携帯電話のモニター部分の中央の主要部分に地図表示をし、該モニター外周部分に広告を強制的に同時表示をして、該広告から得られる広告収入を還元することを特徴とする広告付携帯電話ナビゲーション機器。
【請求項２】
上記請求項１のモニター部分に関して、該モニター部分に広告表示がなされるが、これは該モニターの外周部の広告を表示し、よれとは別により詳細な広告が表示されるように該地図表示モニターの外周部に広告表示の他にジャンル別表示欄を装設し、該モニターにタッチ式又はボタン操作をして順次広告が変更されて、該モニター外周部分に広告が表示されることを特徴とする広告付携帯電話ナビゲーション機器。
【請求項３】
上記請求項１及び２の広告モニターに関して、気に入った商品の広告が表示されその商品を購入したい場合、商品購入欄を指等でタッチ又はボタン操作をして商品申し込みがなされ、商品を購入することができることを特徴とする広告付携帯電話ナビゲーション機器。
【請求項４】
上記請求項１、２及び３に関して、広告モニターが表示された場合、該広告を積極的に見るようにする為、該モニターに広告を表示した時間、より詳細に又お気に入りの広告を見るためにジャンル別表示欄をタッチやボタン操作をした回数等をポイント制にして、そのポイント履歴をインターネット無線を利用してポイント履歴を広告管理センターに送信し、上記請求項１の広告収入とは別に任意でのポイント広告収入の一部が携帯電話所有者に還元されることを特徴とする広告付携帯電話ナビゲーション機器。
【発明の詳細な説明】
【技術分野】
【０００１】  従来使用されている携帯電話のナビゲーション機器は、ＧＰＳ利用による地図表示機能機器を利用して地図をモニターに表示しているが、本発明は、従来の携帯電話ナビゲーション機器に広告表示機能を付帯して取付、地図表示の他に広告を該モニターに同時表示をして、広告宣伝することができるものとしたものである。【０００２】  従来この種における携帯電話ナビゲーション機器は、地図のみを表示しているものが多く、地図の他には携帯電話の位置付近の店舗等を表示するのみとどまっており、機器を有効利用していなく、携帯電話は様々な機能を取付けるあまり高額な機器となり容易に購入できない等問題点がある。
【発明の開示】
【発明が解決しようとする課題】
【０００３】  本発明は、現在のナビゲーションが単なる地図のみを表示して機器の能力を充分利用できていなく、又、高額で容易に購入できない等の上記の問題点を解決するもので、地図を表示するモニターの外周部分に広告表示と音声を同時に表示して広告効果を高め、広告収入の一部を携帯電話所有者に還元して低額となし、誰もが購入しやすくし、又、広告の商品を直ちに購入することができ利便性を高めて問題を解決するものである。
【課題を解決するための手段】
【０００４】  上記に説明した広告付携帯電話ナビゲーション機器により、広告を表示するための手段は、マルチ映像表示機器（６）及び広告を記憶する装置（５）を併設し、中央部分の地図表示モニター（２）と広告表示をする該外周部分モニター（３）が同時に表示できることとした他に、ジャンル別表示モニター（４）を装設して広告表示モニターにおいて詳細に広告が表示されるようにし、更に商品を購入できる欄をジャンル別表示モニターに併設する。
その他に、広告を映像表示した時間やジャンル別広告欄をタッチした回数等をポイントにして、ポイント履歴をインターネット広告管理センターに送信するポイント履歴装置（７）を併設して上記問題を解決したものである。
【発明の効果】
【０００５】  上記に説明した広告付携帯電話ナビゲーション機器により、広告を表示して、該広告から得られる広告収入の一部を携帯電話所有者に還元し、購入時に相当の低額とする。
更に、積極的に広告を見たことの履歴をポインと制にして、定期的にポイントに見合う広告収入の一部を携帯電話購入者に還元する。
その他に、広告表示の商品を簡単に買うことができ、利便性を高めた。
【発明を実施するための最良の形態】
【０００６】  本発明の最良の用法を説明すると、携帯電話にマルチ映像表示機器及び広告を記憶する装置を併設し、地図と広告が同一モニターに同時に表示でき、その広告から得られる見込み収益の一部を販売時に差引きして、相当に安く販売する。
又、広告表示モニターにより詳細に広告が表示されるようにジャンル別変更表示モニターを装設し、商品を購入できる欄を併設し、その他に、広告を映像表示した時間やジャンル別広告欄をタッチ等操作した回数等をポイントに換算して、ポイント履歴をインターネット広告管理センターに送信して、上記の広告料収入の他に更に広告料の一部を金銭や商品に取替えて携帯電話所有者に還元されるようにしたものである。
【実施例】
【０００７】  本発明の実施例を図面について以下の通り説明する。
図１に関し、携帯電話本体（１）に、地図を表示するモニター中央部分（２）、広告を表示するモニター外周部分（３）及び広告を変更するジャンル別表示のモニター外周部分（４）を装設して、地図と広告を強制的に同時表示し、該広告収入の一部を携帯電話購入時に前払いして低額で携帯電話を販売する。
図２に関し、携帯電話本体（１）の内部には、上記表示の各モニター（２，３，４）、広告を記憶する装置（５）、マルチ映像表示機器（６）、ポイント履歴装置（７）を装着内蔵して、地図と広告を同時表示する他に、任意に広告を見たことの履歴を記憶しそれをポイントに換算してインターネット広告管理センターに送信して該ポイントに応じて強制的広告収入とは別途の広告収入として、その一部を定期的に携帯電話所有者に還元するものとする。
【図面の簡単な説明】
【０００８】
【図１】  本発明の広告モニター表示装置装着全体図
【図２】  本発明の広告モニター表示装置装着内部断面図
【符号の説明】
【０００９】  １      携帯電話本体
２      地図が映像表示されるモニター中央部分
３      広告専用表示のモニター外周部分
４      ジャンル別表示のモニター外周部分
５      広告を記憶する装置
６      マルチ映像表示機器
７      ポイント履歴装置
【図１】
2010156667.tif 000003
【図２】
2010156667.tif 000004
(57)【要約】【目的】  バス発着所の広場に屋根を設けたプラットホーム状のバス発着所に、ディスプレイ及び着脱自在の広告板の広告取着部を装設し、無線及び有線によりネット配信センターより配信をして広告をするものである。【構成】  数本の支柱によって屋根を支持し、屋根の内部に画像表示部と、並列してフイルム広告板及び着脱自在の広告板との広告取着部を装設し、且つ屋根の上部に発電用のソーラーパネルと蓄電器を装設することによって、太陽光発電のみの使用、又は太陽光発電と通常の電気の２種類の使用することを特徴とするものである。【選択図】図１
2010156936.tif 000002
【特許請求の範囲】
【請求項１】
屋根（１）には、数本の支柱（２）（２）によって支持固定し、該屋根（１）には、内面の所定位置に画像表示部（３）を装着し、該画像表示部（３）と併設してフイルム広告板の広告取換部（４）と、着脱自在の広告板の広告取着部（５）とを装設した事を特徴とするバス発着所の広告宣伝用バス停留装置。
【請求項２】
請求項１記載の屋根（１）の上部の所定位置に発電用のソーラーパネル（６）と蓄電器（７）とを装設した請求項１のバス発着所の広告宣伝用バス停留装置。
【発明の詳細な説明】
【技術分野】
【０００１】  本発明は、バスの停留所の広告塔に関するものではなく、バスの発着する広場等にプラットホーム形状に形成されたバス発着所にディスプレイ及び着脱自在の広告板を設けたバス発着宣伝用バス停留装置に関するものである。
【背景技術】
【０００２】  従来この種のバス発着所が設置されている広場に設けたバス発着場所には、時刻表のみが表示されているが、各種の宣伝、広告に対する表示が何等実施されてなく、非常に寂しいものであると共に、雨等を凌ぐ構築物等も設置されていなく、空間を充分に使用しないことは無駄となる問題点がある。
【発明の開示】
【発明が解決しようとする課題】
【０００３】  本発明は、上記の問題点を解決するものであって、その目的とする所は、支柱の上部に屋根を設置すると共に、屋根の内部に画像表示部を設けて画像の配信による広告をする。又、取換自在となる広告板又は透明性のフイルムよりなる広告板を装設するものであって、宣伝広告を充分に実施できるようにしたものである。更に、屋根の上部に太陽光を利用したソーラーパネルと蓄電器を装設することによって、電気を供給できるようにしたバス発着所の広告宣伝用バス停留装置を提供するものである。
【課題を解決するための手段】
【０００４】  本発明のバス発着所の広告宣伝用バス停留装置においては、支柱の上部に各種形状の屋根を設置して乗客が雨に濡れるのを防止し、屋根の内部に画像の配信による広告をする画像表示部を設置する。又、画像表示部と併設して、透視性の高いフイルムよりなる広告板の広告取換部と、取換自在となる各種の広告板の広告取着部とを各々装設してある。
更に、該屋根の上面には、発電用のソーラーパネルを装設すると共に、蓄電器を装設してある。
【発明の効果】
【０００５】  本発明は、上記の如く構成されているので、広々とした屋根のバス発着所に支柱により屋根を設置したので、乗客が雨に濡れず、且つ、数本の支柱を利用した屋根の下部に画像表示部を設け、付帯施設として専用受信機、パーソナルコンピューター、携帯電話機能を備え付けて無線及び有線によるネット配信センターより配信して広告ができるという効果がある。
又、フイルム広告取着部を設けたことにより、常時フイルムの差し替えが自由にできる便利な効果と、着脱自在の広告板の広告取着部によっては、各種の広告板を自在に取り換え出来るという便利な効果もある。
更に、屋外の上部に設置したソーラーパネルと共に、太陽光発電と通常の電気との２種が使用できるという便利な効果がある。
【発明を実施するための最良の形態】
【０００６】  次に、本発明の実施用法を説明すると、屋根の内部に装設されている画像表示部によって、無線及び有線によるネット配信センターより配信された各種の広告と宣伝を自由に常時見ることが出来、大変便利となる。又、フイルムの広告板及び差替え自在の広告板は、常時自由に取替えて変更できるものである。
そして、使用する電気は、ソーラーパネル及び通常の電気のため、節電出来ると共に、特に夜間においても、画像表示部及び各種の取着部に取付ける広告板の照明を確実にして防犯灯の役目をも兼ねるものである。
【実施例】
【０００７】  次に、本発明の実施例を図面について下記のとおり説明する。
図１、図２、図３において、バス発着所の広場に複数の支柱（２）（２）…を以って、屋根（１）を設置する。雨で濡れない内側に画像表示部（３）を装設する。画像表示部（３）には、専用受信機、パーソナルコンピューター及び携帯電話機能を備え無線及び有線によりネット配信センターより各種の広告をするものである。
又、該画像表示部（３）と併設して透視性のフイルム形式よりなる広告板を差替え自在とした広告取着部（４）と、他の広告を自由に着脱できる広告取着部（５）を装設してある。符号（９）は、該屋根（１）の側面側又は背面側に設けてあるバスの時刻表を記載した広告等を示したものである。
図４、図５において、屋根（１）の上面に装設した各種形状の太陽光の発電用のソーラーパネル（６）と、該ソーラーパネル（６）の近傍に蓄電器（７）を装設したものである。符号（８）は、必要に応じて構成するコンクリート等より成る基礎部を示したものである。
【図面の簡単な説明】
【０００８】
【図１】  本発明の全体斜面図である。
【図２】  本発明の一部欠如した正面図である。
【図３】  同じく本発明の縦断側面図である。
【図４】  本発明の装置の上面にソーラーパネルを装設した一部欠如した正面図である。
【図５】  同じく本発明の図４の縦断側面図である。
【符号の説明】１      屋根
２      支柱
３      画像表示部
４、５  広告取着部
６      ソーラーパネル
７      蓄電器
８      基礎部
９      広告塔
【図１】
2010156936.tif 000003
【図２】
2010156936.tif 000004
【図３】
2010156936.tif 000005
【図４】
2010156936.tif 000006
【図５】
2010156936.tif 000007